(57)【要約】【課題】通信ケーブルの非接続時のコネクターにユーザーが触れた際の静電気に起因するノイズ、及び接続時における通信ケーブルからの放射ノイズを低減できるグランド制御回路、電子機器及びグランド制御方法を提供する。【解決手段】グランド制御回路６０は、シグナルグランド７１とフレームグランド７２とを有すると共に、両グランド７１，７２間に介在するスイッチ素子５８を有する基板５１と、コネクター２０，３０へのシールドタイプの通信ケーブルの接続の有無を検出すると共にスイッチ素子５８のオンとオフの切り換えを制御する制御回路５２とを備える。制御回路５２は、通信ケーブルがコネクター２０，３０に接続されていない場合、スイッチ素子５８をオフにして両グランド７１，７２を切り離した状態にし、通信ケーブルがコネクター２０，３０に接続されている場合、スイッチ素子５８をオンにして両グランド７１，７２を接続した状態を維持する。【選択図】図４
2017103305.tif 000002
【特許請求の範囲】
【請求項１】
シグナルグランドとフレームグランドとを有すると共に、前記シグナルグランドと前記フレームグランドとの間に介在するスイッチ素子とを有する基板と、
前記シグナルグランドと前記フレームグランドとが接続されたコネクターへのシールドタイプの通信ケーブルの接続の有無を検出すると共に前記スイッチ素子のオンとオフの切り換えを制御する制御回路とを備え、
前記制御回路は、前記通信ケーブルが前記コネクターに接続されていない場合、前記スイッチ素子をオフにして前記シグナルグランドと前記フレームグランドとを切り離した状態にし、前記通信ケーブルが前記コネクターに接続されている場合、前記スイッチ素子をオンにして前記シグナルグランドと前記フレームグランドとを接続した状態を維持することを特徴とするグランド制御回路。
【請求項２】
前記制御回路は、前記通信ケーブルを介して他の電子機器と接続されたことを検知すると、前記スイッチ素子をオンさせて前記シグナルグランドと前記フレームグランドとを接続する状態にし、前記通信ケーブルを介した他の電子機器との接続が解消されたことを検知すると、前記スイッチ素子をオフさせて前記シグナルグランドと前記フレームグランドとを切り離した状態にすることを特徴とする請求項１に記載のグランド制御回路。
【請求項３】
前記シールドタイプの通信ケーブルは、ＵＳＢケーブルを含むことを特徴とする請求項１又は２に記載のグランド制御回路。
【請求項４】
前記スイッチ素子は、トランジスターであることを特徴とする請求項１乃至３のいずれか一項に記載のグランド制御回路。
【請求項５】
前記トランジスターは、電界効果型トランジスターであることを特徴とする請求項４に記載のグランド制御回路。
【請求項６】
前記シグナルグランドと前記フレームグランドとの間に、抵抗及びコンデンサーを含む保護回路が前記スイッチ素子と並列に接続されていることを特徴とする請求項１乃至５のいずれか一項に記載のグランド制御回路。
【請求項７】
請求項１乃至６のいずれか一項に記載の前記グランド制御回路を備えたことを特徴とする電子機器。
【請求項８】
シールドタイプの通信ケーブルがコネクターに接続されていないことを検知している場合、基板に設けられたシグナルグランドとフレームグランドとを電気的に切り離した状態にする切離しステップと、
前記通信ケーブルがコネクターに接続されていることを検知している場合、前記シグナルグランドと前記フレームグランドとを電気的に接続した状態に維持する接続ステップと
を備えたことを特徴とする電子機器におけるグランド制御方法。
【発明の詳細な説明】
【技術分野】
【０００１】
本発明は、シールドタイプの通信ケーブルが有するコネクターと接続可能なコネクターを有する電子機器に用いられ、シグナルグランドとフレームグランドとの接続を制御するグランド制御回路、電子機器及びグランド制御方法に関する。
【背景技術】
【０００２】
近年、多くの電子機器において、他の電子機器と通信を行うためにＵＳＢケーブル等のシールドタイプの通信ケーブルが使用されている。シールドタイプの通信ケーブルは、一対の電源線と、一対の信号線（データ線）と、シールド線とを備える。一対の電源線は、所定電位が印加される電源線（Ｖ＋）と、シグナルグランド線（ＧＮＤ線）とからなる。また、シールドタイプの通信ケーブルでは、一対の信号線と電源線とシグナルグランド線とを芯線とし、それらがシールド線（フレームグランド線）で被覆されている。
【０００３】
そのため、電子機器のコネクターは、一対の信号端子（例えばＤ＋端子、Ｄ−端子）と、電源電位端子（Ｖbus端子）とシグナルグランド端子（ＳＧ端子）とフレームグランド端子（ＦＧ端子）とを備える。コネクターは電子機器内の制御基板に実装された制御回路と電気的に接続される。そして、シグナルグランド端子は制御基板に形成されたグランド（グランドパターン）と電気的に接続され、フレームグランド端子は制御基板のグランド（グランドパターン）と電気的に接続される。
【０００４】
例えば特許文献１には、制御基板の一例であるプリント基板上に分離して設けられたシグナルグランドとフレームグランドとの間をスイッチング素子で接続するグランド接続方式が開示されている。このグランド接続方式は、シグナルグランドの電位と予め設定した所定の第１の設定電圧とを比較する比較手段と、比較手段の出力によりオン／オフされるスイッチング素子と、一端がシグナルグランドに接続されたスイッチング素子の他端とフレームグランドとの間に接続されたクリップ回路とを備える。スイッチング素子は、比較手段によりシグナルグランドの電位が第１の設定電圧以上であるとの比較結果が得られたときに比較手段の出力によりオンとされ、シグナルグランドの電位が第１の設定電圧より小であるとの比較結果が得られたときに比較手段の出力によりオフとされる。クリップ回路は、所定の第２の設定電圧以上の入力信号を第２の設定電圧にクリップする。スイッチング素子がオンの期間はスイッチング素子及びクリップ回路を介して、シグナルグランドとフレームグランドとが接続され、両グランド間の電位差は、第２の設定電圧以下に抑えられる。よって、第２の設定電圧を超える部分に起因する放射ノイズを低減できる。
【先行技術文献】
【特許文献】
【０００５】
【特許文献１】特開２００２−１３４９８８号公報
【発明の概要】
【発明が解決しようとする課題】
【０００６】
ところで、特許文献１の技術では、通信ケーブルの非接続状態の下で、例えばユーザーの手が電子機器のコネクターに触れると、そのときの静電気に起因する比較的高い電圧がシグナルグランドに印加されるため、スイッチング素子がオンし、シグナルグランドとフレームグランド間を電流が一瞬流れ、これにより電磁ノイズが発生する。この電磁ノイズが制御回路の誤動作の原因となる場合がある。例えば、電子機器が印刷装置であれば、この種のノイズが原因で印刷画質の低下をもたらし、電子機器が画像読取装置（スキャナー）であれば、この種のノイズが原因で読取データの画質の低下をもたらす場合がある。
【０００７】
なお、印刷装置及び画像読取装置以外の電子機器であっても、通信ケーブルの非接続時におけるコネクターへの静電気に起因するノイズ及び通信ケーブルの放射ノイズを共に低減したいという概ね同様の課題がある。
【０００８】
本発明の目的は、通信ケーブルの非接続時のコネクターにユーザーが触れた際の静電気に起因するノイズ、及び接続時における通信ケーブルからの放射ノイズを低減できるグランド制御回路、電子機器及びグランド制御方法を提供することにある。
【課題を解決するための手段】
【０００９】
以下、上記課題を解決するための手段及びその作用効果について記載する。
上記課題を解決するグランド制御回路は、シグナルグランドとフレームグランドとを有すると共に、前記シグナルグランドと前記フレームグランドとの間に介在するスイッチ素子とを有する基板と、前記シグナルグランドと前記フレームグランドとが接続されたコネクターへのシールドタイプの通信ケーブルの接続の有無を検出すると共に前記スイッチ素子のオンとオフの切り換えを制御する制御回路とを備え、前記制御回路は、前記通信ケーブルが前記コネクターに接続されていない場合、前記スイッチ素子をオフにして前記シグナルグランドと前記フレームグランドとを切り離した状態にし、前記通信ケーブルが前記コネクターに接続されている場合、前記スイッチ素子をオンにして前記シグナルグランドと前記フレームグランドとを接続した状態を維持する。
【００１０】
この構成によれば、シールドタイプの通信ケーブルがコネクターに接続されていない場合、スイッチ素子がオフ状態にあってシグナルグランドとフレームグランドとが電気的に切り離された状態とされる。そのため、ユーザーがコネクターに触れても、静電気に起因する電流が、シグナルグランドとフレームグランド間を流れないので、この種の静電気に起因するノイズを低減できる。例えばこの種のノイズに起因する制御回路の誤動作などを低減できる。また、通信ケーブルがコネクターに接続されている場合、スイッチ素子がオン状態にあってシグナルグランドとフレームグランドとが電気的に接続された状態に維持されるので、コネクターに接続された通信ケーブルからの放射ノイズを低減できる。よって、通信ケーブルの非接続時のコネクターにユーザーが触れた際の静電気に起因するノイズ、及び接続時における通信ケーブルからの放射ノイズを低減できる。
【００１１】
また、上記グランド制御回路において、前記制御回路は、前記通信ケーブルを介して他の電子機器と接続されたことを検知すると、前記スイッチ素子をオンさせて前記シグナルグランドと前記フレームグランドとを接続する状態にし、前記通信ケーブルを介した他の電子機器との接続が解消されたことを検知すると、前記スイッチ素子をオフさせて前記シグナルグランドと前記フレームグランドとを切り離した状態にすることが好ましい。
【００１２】
この構成によれば、制御回路は、通信ケーブルを介して他の電子機器と接続されたことを検知すると、スイッチ素子をオンさせてシグナルグランドとフレームグランドとが接続状態にする。また、制御回路は、通信ケーブルを介した他の電子機器との接続が解消されたことを検知すると、スイッチ素子をオフさせてシグナルグランドとフレームグランドとが切り離した状態にする。よって、電子機器が通信ケーブルを介して他の電子機器と接続されたことを検知すると、シグナルグランドとフレームグランドとが接続状態とされるので、通信ケーブルからの放射ノイズを低減できる。また、電子機器が通信ケーブルを介して他の電子機器との接続が解消されたことを検知すると、シグナルグランドとフレームグランドとが切り離した状態とされるので、ユーザーがコネクターに手を触れても、そのときの静電気によって電流が流れることを回避できる。その結果、この種の電流に起因する電磁ノイズによって電子機器が誤動作することを回避できる。
【００１３】
上記グランド制御回路において、前記シールドタイプの通信ケーブルは、ＵＳＢケーブルを含むことが好ましい。
この構成によれば、ＵＳＢケーブルが接続されていないコネクターにユーザーが触れたときの静電気に起因する通電によるノイズを防止できるうえ、ＵＳＢケーブルをコネクターに接続した状態における放射ノイズを低減できる。
【００１４】
上記グランド制御回路において、前記スイッチ素子は、トランジスターであることが好ましい。
この構成によれば、スイッチ素子は、トランジスターであるので、制御回路はトランジスターに信号を出力することで簡単にオン／オフを切り換えることができる。
【００１５】
上記グランド制御回路において、前記トランジスターは、電界効果型トランジスターであることが好ましい。
この構成によれば、例えばトランジスターがバイポーラートランジスターである場合、スイッチ切り換え時にコレクター−エミッター間の飽和電圧が発生し、ノイズの原因になる。これに対してトランジスターが電界効果型トランジスターなので、スイッチング時にノイズの原因となる電圧がほとんど発生しない。よって、放射ノイズをより低減できる。
【００１６】
上記グランド制御回路において、前記シグナルグランドと前記フレームグランドとの間に、抵抗及びコンデンサーを含む保護回路が前記スイッチ素子と並列に接続されていることが好ましい。
【００１７】
この構成によれば、シグナルグランドとフレームグランドとの間に、抵抗及びコンデンサーを含む保護回路がスイッチ素子と並列に接続されているので、スイッチ素子を保護できる。
【００１８】
上記課題を解決する電子機器は、前記グランド制御回路を備えている。
この構成によれば、電子機器はグランド制御回路を備えるので、グランド制御回路と同様の作用効果を得ることができる。
【００１９】
上記課題を解決するグランド制御方法は、シールドタイプの通信ケーブルがコネクターに接続されていないことを検知している場合、基板に設けられたシグナルグランドとフレームグランドとを電気的に切り離した状態にする切離しステップと、前記通信ケーブルがコネクターに接続されていることを検知している場合、前記シグナルグランドと前記フレームグランドとを電気的に接続した状態に維持する接続ステップとを備えている。
【００２０】
この方法によれば、シールドタイプの通信ケーブルがコネクターに接続されていない場合、シグナルグランドとフレームグランドとが電気的に切り離された状態とされる。そのため、コネクターに静電気が帯電しても、シグナルグランドとフレームグランド間を電流が流れないので、この種の通電により発生する電磁ノイズを低減できる。例えば、この種の電磁ノイズに起因する制御回路の誤動作などを低減できる。また、通信ケーブルがコネクターに接続されている場合、シグナルグランドとフレームグランドとが電気的に接続された状態に維持されるので、コネクターに接続された通信ケーブルからの放射ノイズを低減できる。
【図面の簡単な説明】
【００２１】
【図１】第１実施形態における電子機器が通信ケーブルを介して他の電子機器と接続された状態を示す模式斜視図。
【図２】電子機器が通信ケーブルを介して図１とは異なる他の電子機器と接続された状態を示す模式斜視図。
【図３】他の電子機器と通信ケーブルを介して接続された状態にある電子機器の電気的構成を示すブロック図。
【図４】グランド制御回路を模式的に示す電気回路図。
【図５】制御回路の構成の一例を示すグランド制御回路を示す回路図。
【図６】制御回路の構成の他の一例を示すグランド制御回路を示す回路図。
【図７】電子機器のコネクターに通信ケーブル側のコネクターが接続されていない非接続状態におけるグランド制御回路を説明する回路図。
【図８】電子機器のコネクターに通信ケーブル側のコネクターが接続されている接続状態におけるグランド制御回路を説明する回路図。
【図９】グランド接続制御処理を示すフローチャート。
【図１０】第２実施形態におけるグランド制御回路を示す回路図。
【図１１】第３実施形態におけるグランド制御回路を示す回路図。
【発明を実施するための形態】
【００２２】
（第１実施形態）
以下、グランド制御回路及びこのグランド制御回路を備えた電子機器の第１実施形態を、図面を参照して説明する。
【００２３】
図１及び図２に示すように、電子機器１１は、略直方体形状をなす本体１２を有する。本体１２は、ユーザーが電子機器１１に対して各種の入力をするときに操作される操作パネル１３を備える。操作パネル１３には、表示部１４及び操作部１５が設けられている。表示部１４は、例えば液晶表示装置（Liquid Crystal Display）からなる。操作部１５には、電源操作部１５ａ、表示部１４に表示されたメニュー中の項目を選択するための選択操作部１５ｂ、及び電子機器１１に処理の開始を指示する指示操作部１５ｃ等からなる。本実施形態における電子機器１１は、例えば印刷装置（プリンター）又は画像読取装置（スキャナー）である。そのため、本体１２の後部には、本体１２内へ給送するべき媒体Ｐを載置可能なサポート部１６が設けられている。サポート部１６に載置された複数枚の媒体Ｐは、電子機器１１の動作時に１枚ずつ本体１２内へ給送される。
【００２４】
図１に示すように、電子機器１１の本体１２は、シールドタイプの通信ケーブル４０が接続されるコネクター２０を備える。電子機器１１は、コネクター２０に接続された通信ケーブル４０を通じて他の電子機器１００と通信可能な状態で接続される。通信ケーブル４０は、その一端部に他の電子機器１１と接続される第１コネクター４１と、その他端部にと電子機器１１側のコネクター２０に接続される第２コネクター４２とを有している。通信ケーブル４０の第１コネクター４１が他の電子機器１００のコネクター１０５（図３参照）に接続されると共に、その第２コネクター４２が電子機器１１側のコネクター２０に接続されることで、電子機器１１と他の電子機器１００は通信ケーブル４０を通じて通信可能となる。
【００２５】
図１に示す他の電子機器１００は、電子機器１１に処理の実行を指示するホスト装置１０１である。ホスト装置１０１は、図１の例では、パーソナルコンピューターからなる。ホスト装置１０１は、本体１０２と表示部１０３と入力部１０４とを備える。入力部１０４は、例えばキーボード１０４ｋ及びマウス１０４ｍからなる。
【００２６】
また、図２に示すように、電子機器１１の本体１２には、コネクター２０とは別に、通信ケーブル４０を接続可能な通信用のコネクター３０を備える。コネクター３０は、通信ケーブル４０の第１コネクター４１と接続可能な雌コネクターであり、本体１２の例えば前面部に設けられている。
【００２７】
通信ケーブル４０の第１コネクター４１が電子機器１１側のコネクター３０に接続されると共に、その第２コネクター４２が他の電子機器２００側のコネクター２０５（図３参照）に接続されることで、電子機器１１と他の電子機器２００は通信ケーブル４０を通じて通信可能となる。他の電子機器２００は、例えばＰＤＡ（Personal Digital Assistant）、スマートフォンや携帯電話等の携帯端末からなる。
【００２８】
本実施形態の通信ケーブル４０は、一例としてＵＳＢ（Universal Serial Bus）ケーブルからなる。ＵＳＢケーブルでは、通信ケーブル４０の第１コネクター４１はホスト用の雄コネクターであり、第２コネクター４２はデバイス用の雄コネクターである。第１コネクター４１はホスト装置１０１のコネクター１０５（雌コネクター）（図３参照）及び電子機器１１のコネクター３０（雌コネクター）と接続可能である。また、第２コネクター４２はデバイス装置２０１のコネクター２０５（雌コネクター）（図３参照）及び電子機器１１のコネクター２０（雌コネクター）と接続可能である。
【００２９】
コネクター２０は、ホスト装置１０１との接続に使用されるもので、通信ケーブル４０がコネクター２０に接続された状態では電子機器１１は通信プロトコル上、デバイスとして機能する。また、コネクター３０は、他の電子機器２００としてのデバイス装置２０１との接続に使用されるもので、通信ケーブル４０がコネクター３０に接続された状態では電子機器１１が通信プロトコル上、ホストとして機能する。
【００３０】
ＵＳＢ通信規格では、バスパワー方式として上位側のＵＳＢホスト（例えばホスト装置１０１）から通信ケーブル４０を通じて下位側のＵＳＢデバイスへの電源電圧供給を可能としたうえで、プラグアンドプレイにも標準で対応している。さらに通信ケーブル４０の活線挿抜が可能なホットプラグインにも対応している。そのため、ホストとして機能する他の電子機器１００及び電子機器１１は、通信ケーブル４０を通じてデバイス側の装置に電力を供給する給電機能を有する。電子機器１１と接続されたデバイス装置２０１は、電子機器１１から電力の供給を受けてその本体に内蔵する不図示の二次電池を充電することが可能である。電子機器１１が印刷装置である場合、他の電子機器１００，２００は、印刷対象の文書又は画像のデータを電子機器１１に送信する機能を有する。また、電子機器１１が画像読取装置である場合、電子機器１１は、読取対象の媒体Ｐである原稿を読み取った画像データを他の電子機器１００，２００へ送信する機能を有する。
【００３１】
よって、図１の例では、ホスト装置１０１と電子機器１１との間で通信ケーブル４０を介したデータの送受信が可能になるうえ、ホスト装置１０１から電子機器１１への通信ケーブル４０を介した給電が可能となる。また、図２の例では、デバイス装置２０１と電子機器１１との間で通信ケーブル４０を介したデータの送受信が可能になるうえ、電子機器１１からデバイス装置２０１への通信ケーブル４０を介した給電が可能となる。
【００３２】
なお、他の電子機器１００，２００は、画像データをメモリーに記憶する例えばデジタルカメラでもよい。また、デバイスとして機能する他の電子機器２００は、電子機器１１から通信ケーブル４０を介して供給される電力で充電することを目的として、電子機器１１と接続可能な各種の電子機器でもよい。この種の充電機能を備えた他の電子機器２００の例としては、上記のスマートフォン、携帯電話、デジタルカメラ等の他、オーディオ装置や携帯用ゲーム機等が挙げられる。さらに他の電子機器２００は、ＵＳＢメモリー等の携帯型メモリーでもよい。このように他の電子機器１００，２００は、電子機器１１側のコネクター２０，３０の通信規格（例えばＵＳＢ通信規格）に準拠する同じ通信規格のコネクターを有するものであれば足りる。
【００３３】
図２に示すように、電子機器１１の本体１２内には、制御基板５０が配置されている。制御基板５０は、コネクター２０，３０と電気的に接続されている。制御基板５０は、基板５１と、基板５１に実装された制御回路５２とを備える。制御回路５２は、コネクター２０に通信ケーブル４０が接続されているときにホスト装置１０１と通信し、コネクター３０に通信ケーブル４０が接続されているときにデバイス装置２０１と通信する。また、制御基板５０は、印刷処理又は画像読取処理などの所定の処理を行うべく電子機器１１に内蔵されたエンジン５５（図３を参照）を駆動制御する。なお、基板５１には、制御回路５２以外にも電子機器１１で必要な各種の回路が実装されている。
【００３４】
次に、電子機器１１の電気的構成について図３を参照して説明する。
図３に示すように、電子機器１１と通信ケーブル４０を通じて接続される他の電子機器１００，２００には、コネクター１０５，２０５が設けられている。コネクター１０５に通信ケーブル４０の第１コネクター４１が接続され、コネクター２０５に通信ケーブル４０の第２コネクター４２が接続される。通信ケーブル４０は、第１コネクター４１がコネクター１０５に接続され、第２コネクター４２がコネクター２０に接続されることで、電子機器１１と他の電子機器１００（ホスト装置１０１）とを通信可能な状態に接続する。また、通信ケーブル４０は、第１コネクター４１がコネクター３０に接続され、第２コネクター４２がコネクター２０５に接続されることで、電子機器１１と他の電子機器２００（デバイス装置２０１）とを通信可能な状態に接続する。
【００３５】
図３に示すように、電子機器１１は、制御基板５０及びエンジン５５を備える。制御基板５０を構成する制御回路５２は、所定の制御プログラムを実行して電子機器１１の各種動作を統括的に制御する。制御回路５２による制御の下、エンジン５５は電子機器１１の各種動作を行う。電子機器１１は、例えば印刷装置又は画像読取装置である場合、画像処理動作（印刷動作又はスキャン動作）をはじめとする各種動作を行う。
【００３６】
図３に示すように、シールドタイプの通信ケーブル４０がＵＳＢケーブルからなる場合、通信ケーブル４０は、電源線Ｖbus、シグナルグランド線ＳＧ（グランド線ＧＮＤ）と、一対の信号線（データ線）Ｄ＋，Ｄ−と、フレームグランド線ＦＧとからなる配線４３を備える。フレームグランド線ＦＧは例えばシールド線からなり、通信ケーブル４０は、一対の信号線Ｄ＋，Ｄ−と電源線Ｖbusとシグナルグランド線ＳＧとが、シールド線（フレームグランド線ＦＧ）で被覆されることで、シールドされている。
【００３７】
電子機器１１のコネクター２０，３０は、複数の配線５６を介して電子機器１１内の制御基板５０と電気的に接続されている。配線５６には、図３に示すように、通信ケーブル４０を構成する配線４３と対応し、シグナルグランド線ＳＧ、フレームグランド線ＦＧ、電源線Ｖbus、一対の信号線Ｄ＋，Ｄ−がある。また、コネクター２０，３０と制御回路５２との間における配線５６上には電気回路５７が介在している。
【００３８】
図３に示すように、制御回路５２は、その複数の機能を果たす部分として、制御部６１、検出部６２、通信制御部６３及び処理部６４を備える。制御部６１は、制御回路５２内の各部６２〜６４を統括的に制御すると共に、基板５１に実装又は形成された電気回路５７を制御する。電気回路５７は、コネクター２０，３０に接続されたシグナルグランド線ＳＧとフレームグランド線ＦＧとの電気的な接続と切離し（非接続）とを切り換える回路を有する。また、電子機器１１がバッテリー式の場合、電気回路５７は、コネクター２０に接続された配線５６のうち電源線Ｖbusとシグナルグランド線ＳＧ（ＧＮＤ）間の電源電圧を基にエンジン５５の駆動やバッテリー（図示せず）の充電に必要な各電圧を生成する電源回路を有する。さらに電気回路５７は、コネクター３０に接続された配線５６のうち電源線Ｖbusとシグナルグランド線ＳＧ間に、他の電子機器２００へ供給すべき電源電圧を生成する電源回路も有する。また、制御部６１は、電子機器１１と通信ケーブル４０を介して接続された他の電子機器２００がその本体に内蔵する不図示の二次電池を充電するための電力を他の電子機器２００に供給する給電制御も司る。なお、電子機器１１が、商用交流電源から不図示のアダプター（ＡＣ／ＤＣ変換器）を介して電力の供給を受け、ホスト装置１０１からの給電が不要な構成である場合は、電気回路５７内の電源回路のうちコネクター２０に対応する一方は廃止してもよい。
【００３９】
また、図３に示す検出部６２は、信号線Ｄ＋，Ｄ−から入力した各信号（データ）の差分値に基づいて、通信ケーブル４０のコネクター４１又は４２の電子機器１１のコネクター２０又は３０に対する接続／非接続を検出する。すなわち、電子機器１１と他の電子機器１００（２００）との通信ケーブル４０を介した接続と非接続とを検出する。ここで、電子機器１１と他の電子機器１００（２００）との通信ケーブル４０を介した接続には、次の場合が挙げられる。１つは、電子機器１１と他の電子機器１００（２００）との通信ケーブル４０を介した接続状態において、一方の電源が投入された結果、両者が共に電源オン状態となった場合である。また、他の１つとして、電子機器１１と他の電子機器１００（２００）とが共に電源オン状態のときに、両者のうち一方のコネククターに通信ケーブル４０の一方のコネクターが接続された結果、両者が通信ケーブル４０を通じて接続された場合である。
【００４０】
また、通信制御部６３は、電子機器１１と他の電子機器１００，２００との通信を司り、所定の通信プロトコル（例えばＵＳＢ通信プロトコル）に従って、他の電子機器１００，２００と通信する。通信制御部６３は、一対の信号線Ｄ＋，Ｄ−を介して、他の電子機器１００，２００からデータを受信したり、他の電子機器１００，２００へデータを送信したりする。
【００４１】
図３に示す他の電子機器１００，２００は、ドライバー１１０を備える。電子機器１１が印刷装置である場合、ドライバー１１０は、ユーザーにより印刷対象として指定された文書又は画像のデータに基づいて印刷データを生成して電子機器１１に送信する印刷ドライバーからなる。また、電子機器１１が画像読取装置である場合、ドライバー１１０は、ユーザーが指定した原稿の読取条件データを電子機器１１に送信すると共に電子機器１１に読取条件データに基づく読取動作を指示する読取ドライバーからなる。
【００４２】
図３に示す処理部６４は、エンジン５５を制御して電子機器１１に所定の処理を行わせる。電子機器１１が印刷装置であれば、処理部６４は、他の電子機器１００，２００から受信した印刷データに基づいてエンジン５５を制御し、サポート部１６からの媒体Ｐ（例えば用紙）の給送及び搬送と、その搬送された媒体Ｐへの印刷データに基づく印刷動作とをエンジン５５に行わせる。また、電子機器１１が画像読取装置であれば、処理部６４は、エンジン５５を制御し、サポート部１６からの媒体Ｐ（例えば原稿）の給送及び搬送と、その搬送された媒体Ｐの画像を読み取って読取データを取得する読取動作とをエンジン５５に行わせる。そして、処理部６４は、取得した読取データを配線５６（特に信号線Ｄ＋，Ｄ−）及び通信ケーブル４０を通じて他の電子機器１００，２００へ送信する。
【００４３】
図４に示すように、電子機器１１に備えられたグランド制御回路６０において、基板５１には、シグナルグランド７１とフレームグランド７２とが分離された状態でパターン形成されている。図４の例では、シグナルグランド７１とフレームグランド７２は基板５１の同一層に形成されているが、基板５１が多層基板である場合、互いに異なる層に形成されてもよい。また、シグナルグランド７１とフレームグランド７２とのパターン形状は適宜変更でき、例えば特許文献１に記載の環状パターンとその環の内側に分離された島状パターンとからなる構成でもよい。また、フレームグランド７２は、パッド（又はランド）でもよい。例えばパッドが、本体１２を構成する金属製の筐体などＧＮＤ電位となる部分に電気的に接続される構成でもよい。
【００４４】
図４に示すように、コネクター２０，３０から延びる配線５６のうちシグナルグランド線ＳＧはシグナルグランド７１と電気的に接続され、フレームグランド線ＦＧはフレームグランド７２と電気的に接続されている。シグナルグランド７１とフレームグランド７２は、スイッチ素子５８（スイッチング素子）を介して接続されている。スイッチ素子５８は基板５１上の電気回路５７内に設けられており、制御回路５２からの制御信号SIGによりオン／オフが切り換えられる。制御回路５２は、信号線Ｄ＋，Ｄ−の各信号の差動値に基づいて通信ケーブル４０を通じた他の電子機器１００，２００との接続を検知すると、スイッチ素子５８をオンし、一方、通信ケーブル４０を通じた他の電子機器１００，２００との接続を検知しなくなると（非接続を検知すると）、スイッチ素子５８をオフする。
【００４５】
制御回路５２には、図５に示す構成と図６に示す構成との２通りある。図５に示す例では、制御回路５２は、ＣＰＵ６５（中央処理装置）、不図示のＲＯＭ（Read-Only Memory）及びＲＡＭ（Random Access Memory）を有するコンピューターを内蔵する半導体チップからなる。ＲＡＭには、入力されたデータ、および所定の処理によって生成されたデータなどが一時的に格納されたり、処理に必要なプログラムが一時的に展開されたりする。ＣＰＵ６５には、一対の信号線Ｄ＋，Ｄ−とスイッチ素子５８とが電気的に接続されている。スイッチ素子５８は、プログラムを実行するＣＰＵ６５によりオン／オフ制御される。なお、制御回路５２は、ＲＯＭ及びＲＡＭを含んだＭＣＵ（Micro Controller Unit）など１チップの構成に限定されず、ＣＰＵ６５、ＲＯＭ及びＲＡＭがそれぞれ個別のチップで構成されてもよい。
【００４６】
図５に示す例では、制御回路５２内のＲＯＭには、図９にフローチャートで示されるプログラムが記憶され、ＣＰＵ６５はプログラムを実行することによりスイッチ素子５８の切り換え制御を行う。この場合、図３に示す制御回路５２内の各部６１〜６４は、制御プログラムを実行するＣＰＵ６５によりソフトウェアで構成される。
【００４７】
また、図６に示す例では、制御回路５２は、ＣＰＵ６５、ＩＣ６６（Integrated Circuit）、不図示のＲＯＭ及びＲＡＭを有する半導体チップからなる。ＩＣ６６には、一対の信号線Ｄ＋，Ｄ−とスイッチ素子５８とが電気的に接続されている。スイッチ素子５８は、ＩＣ６６によりオン／オフ制御される。ＣＰＵ６５は、信号線Ｄ＋，Ｄ−からのデータを、ＩＣ６６を介して取得する。また、ＣＰＵ６５は、制御プログラムを実行することにより、エンジン５５を制御し、印刷動作や読取動作などの各種の動作を行う。
【００４８】
また、図６に示す例では、制御回路５２内のＩＣ６６が、図９にフローチャートで示される信号処理を行うことで、スイッチ素子５８の切り換え制御を行う。この場合、図３に示す制御回路５２内の各部６１〜６４のうち、スイッチ素子５８を制御する制御部６１、検出部６２及び通信制御部６３は、ＩＣ６６内の各種回路により構成され、処理部６４はプログラムを実行するＣＰＵ６５によりソフトウェアで構成される。
【００４９】
また、図７に示すように、電子機器１１側のコネクター２０，３０には、シグナルグランド端子８１、フレームグランド端子８２、信号端子８３，８４及び電源端子８５が設けられている。また、他の電子機器側のコネクター１０５，２０５には、シグナルグランド端子９１、フレームグランド端子９２、信号端子９３，９４及び電源端子９５が設けられている。また、スイッチ素子５８は、例えばトランジスターにより構成されている。本例ではバイポーラートランジスターからなる。スイッチ素子５８（バイポーラートランジスター）のベース端子には、制御回路５２からの制御信号線５２Ａが接続されている。また、スイッチ素子５８のコレクター端子はシグナルグランド端子８１と電気的に接続され、そのエミッター端子はフレームグランド端子８２と電気的に接続されている。
【００５０】
図７に示すように、電子機器１１側のコネクター２０，３０に通信ケーブル４０のコネクター４１，４２が接続されていない非接続状態の下では、信号線Ｄ＋，Ｄ−が同電位となるので、制御回路５２は同電位であることを基に、コネクター２０，３０への通信ケーブル４０が非接続状態にあることを検知する。制御回路５２は、通信ケーブル４０の非接続を検知すると、オフの旨の制御信号SIGを出力してスイッチ素子５８をオフにする。
【００５１】
また、図８に示すように、電子機器１１側のコネクター２０，３０に通信ケーブル４０のコネクター４１，４２が接続されている接続状態の下では、信号線Ｄ＋，Ｄ−が異なる電位となるので、制御回路５２はコネクター２０，３０への通信ケーブル４０が接続状態にあることを検知する。制御回路５２は、通信ケーブル４０の接続を検知すると、オンの旨の制御信号SIGを出力してスイッチ素子５８をオンにする。
【００５２】
次に電子機器１１の作用を説明する。ユーザーが操作部１５の操作又は他の電子機器１００又は２００の入力部１０４等の操作で、電子機器１１に処理を指示する。制御回路５２は、他の電子機器１００又は２００内のドライバー１１０が生成したジョブを受信するか、ユーザーが操作部１５を操作して行った指示に基づきジョブを生成することで、ジョブを取得する。制御回路５２は、ジョブを取得すると、ジョブに従ってエンジン５５を制御する。例えば電子機器１１が印刷装置である場合、サポート部１６から用紙等の媒体Ｐが本体１２内へ給送及び搬送され、その搬送途中の媒体Ｐに対してエンジン５５を構成する不図示の印刷ヘッドにより印刷が施され、印刷後の媒体Ｐは本体１２から排出される。また、電子機器１１が画像読取装置（スキャナー）である場合、サポート部１６から原稿等の媒体Ｐが本体１２内へ給送及び搬送され、その搬送途中の媒体Ｐ（原稿）の画像がエンジン５５を構成する不図示のイメージセンサーにより読み取られ、その原稿の読取データが通信ケーブル４０を介して他の電子機器１００又は２００に送信される。
【００５３】
ここで、他の電子機器１００又は２００から電子機器１１に処理を指示する場合、電子機器１１と他の電子機器１００又は２００とを通信ケーブル４０を通じて接続する。このとき、例えば他の電子機器１００又は２００に接続された通信ケーブル４０を電子機器１１のコネクター２０又は３０に接続する。一方、他の電子機器１００又は２００を使用せず操作部１５の操作で電子機器１１に処理を指示する場合、電子機器１１のコネクター２０，３０から通信ケーブル４０が抜かれる場合がある。この場合、通信ケーブル４０が非接続の状態で、電子機器１１が動作される。また、電子機器１１は、通信ケーブル４０の非接続時において処理以外の動作を行う場合もある。処理以外の動作としては、ユーザーの操作に応じて表示部１４の表示内容を切り換える表示動作等が挙げられる。このように電子機器１１は、動作中であっても、通信ケーブル４０が接続状態にあるときと、通信ケーブル４０が非接続状態にあるときとがある。
【００５４】
電子機器１１の制御回路５２は、図９にフローチャートで示す処理を実行する。以下、図９を参照して、制御回路５２が実行するグランド接続制御処理について説明する。電子機器１１の電源オン中は、通信ケーブル４０のコネクター４１，４２が電子機器１１のコネクター２０，３０に接続されたり、通信ケーブル４０のコネクター４１，４２が電子機器１１のコネクター２０，３０から抜かれたりしたことを検出部６２により検知している。例えば検出部６２の検知結果を受けて、制御回路５２は、割込処理で図９に示すグランド接続制御処理を実行する。なお、制御回路５２の構成が図５に示す例では、ＣＰＵ６５が図９に示す処理をプログラムとして実行する。また、制御回路５２の構成が図６に示す例では、ＩＣ６６が図９に示す処理を回路の信号処理として行う。
【００５５】
まずステップＳ１１では、通信ケーブルが接続されたか否かを判断する。通信ケーブル４０が接続されればステップＳ１２に進み、通信ケーブル４０が接続されていなければステップＳ１３に進む。制御回路５２は検出部６２から取得した検知結果に基づいて通信ケーブル４０が接続されたか否かを判断する。ここで、検出部６２は、一対の信号線Ｄ＋，Ｄ−からの各信号の差分値に基づき通信ケーブル４０の挿抜を判断する。例えば一対の信号線Ｄ＋，Ｄ−が同電位であって差分が所定値未満の値（例えば「０」（零））であれば、通信ケーブル４０が非接続であると判断し、一対の信号線Ｄ＋，Ｄ−からの各信号の差分値が所定値以上の値であるときは、通信ケーブル４０が接続されていると判断する。なお、この実施形態において、通信ケーブル４０がコネクター２０又は３０に接続されているとは、通信ケーブル４０を通じて他の電子機器１００又は２００に接続されていると同義である。
【００５６】
ステップＳ１２では、スイッチ素子をオンする。すなわち、制御回路５２は、オンを指示する制御信号SIG（オン信号）をスイッチ素子５８の制御端子（例えばベース端子）に出力する。この結果、スイッチ素子５８はオンする。このため、電子機器１１が他の電子機器１００又は２００と接続状態にあるときは、シグナルグランド７１とフレームグランド７２とが電気的に接続された状態に維持される。なお、本実施形態では、ステップＳ１１，Ｓ１２の処理が、接続ステップの一例に相当する。
【００５７】
ステップＳ１３では、通信ケーブルが抜かれた（接続されなくなった）か否かを判断する。通信ケーブル４０が抜かれれば（接続されていなければ）ステップＳ１４に進み、通信ケーブル４０が抜かれていなければ（接続されていれば）当該ルーチンを終了する。制御回路５２は検出部６２から取得した検知結果に基づいて通信ケーブル４０が抜かれたか否かを判断する。
【００５８】
ステップＳ１４では、スイッチ素子をオフする。すなわち、制御回路５２は、オフの旨の制御信号SIG（オフ信号）をスイッチ素子５８の制御端子に出力する。この結果、スイッチ素子５８はオフする。このため、電子機器１１が他の電子機器１００，２００と接続状態にないとき（非接続状態にあるとき）は、シグナルグランド７１とフレームグランド７２とが電気的に切り離された状態に維持される。なお、本実施形態では、ステップＳ１３，Ｓ１４の処理が、切離しステップの一例に相当する。
【００５９】
こうして通信ケーブル４０が非接続状態にあるときは、スイッチ素子５８がオフ状態にあって、シグナルグランド７１とフレームグランド７２とが切り離された状態にある。例えばユーザーがコネクター２０，３０のシェルに触れても、ユーザーからの静電気はコネクター２０，３０に帯電した状態のまま保持され、静電気による電流がシグナルグランド７１とフレームグランド７２間を流れることが阻止される。例えば静電気による電流が両グランド７１，７２間を流れることに起因する電磁ノイズの発生を阻止できる。よって、この種の電磁ノイズが原因で起こる電子機器１１の誤動作などを低減できる。
【００６０】
制御回路５２は、電子機器１１の駆動系及び処理系の制御を司るので、電子機器１１の駆動及び処理が適正かつ精度よく行われる。例えば電子機器１１が印刷装置である場合、制御回路５２がこの種の電磁ノイズの影響を受けにくくなるので、媒体Ｐの搬送精度や媒体Ｐへの印刷精度の低下が回避される。その結果、高品質の印刷物を提供できる。一方、電子機器１１が画像読取装置である場合、制御回路５２がこの種の電磁ノイズの影響を受けにくくなるので、媒体Ｐ（原稿）の搬送位置精度や媒体Ｐからの画像の読取精度の低下が回避される。その結果、高品質の原稿読取データ（画像データ）を取得できる。
【００６１】
一方、通信ケーブル４０が接続状態にあるときは、スイッチ素子５８がオン状態にあって、シグナルグランド７１とフレームグランド７２とが電気的に接続された状態にある。このため、電子機器１１と他の電子機器１００又は２００との間で通信ケーブル４０を通じてデータの転送などの通信が行われるとき、通信ケーブル４０からの放射ノイズが低減される。
【００６２】
以上詳述した第１実施形態によれば、以下に示す効果を得ることができる。
（１）電子機器１１が備えるグランド制御回路６０は、シグナルグランド７１とフレームグランド７２とを有すると共に、シグナルグランド７１とフレームグランド７２との間に介在するスイッチ素子５８とを有する基板５１を備える。さらにグランド制御回路６０は、シグナルグランド７１とフレームグランド７２とが接続されたコネクター２０，３０へのシールドタイプの通信ケーブル４０の接続の有無を検出すると共にスイッチ素子５８のオンとオフの切り換えを制御する制御回路５２を備える。制御回路５２は、通信ケーブル４０がコネクター２０，３０に接続されていない場合、スイッチ素子５８をオフにしてシグナルグランド７１とフレームグランド７２とを切り離した状態にする。一方、通信ケーブル４０がコネクター２０，３０に接続されている場合、スイッチ素子５８をオンにしてシグナルグランド７１とフレームグランド７２とを接続した状態を維持する。よって、通信ケーブル４０がコネクター２０，３０に接続されていないときに、ユーザーの手がコネクター２０，３０に触れても、そのときの静電気によってシグナルグランド７１とフレームグランド７２間を電流が流れないので、静電気に起因する電磁ノイズが発生しない。例えば静電気に起因する電磁ノイズによる制御回路５２の誤動作などを低減できる。また、通信ケーブル４０がコネクター２０，３０に接続されているときに、シグナルグランド７１とフレームグランド７２とが電気的に接続された状態に維持されるので、コネクター２０，３０に接続された通信ケーブル４０からの放射ノイズを低減できる。
【００６３】
（２）制御回路５２は、通信ケーブル４０を介して他の電子機器１００，２００と接続されたことを検知すると、スイッチ素子５８をオンさせてシグナルグランド７１とフレームグランド７２とを接続状態とする。一方、制御回路５２は、通信ケーブル４０を介した他の電子機器１００，２００との接続が解消されたことを検知すると、スイッチ素子５８をオフさせてシグナルグランド７１とフレームグランド７２とを切り離した状態にする。よって、電子機器１１が通信ケーブル４０を介して他の電子機器１００，２００と接続されているときに、通信ケーブル４０からの放射ノイズを低減できる。また、電子機器１１と他の電子機器１００，２００との通信ケーブル４０を介した接続が解消されているときに、ユーザーの手がコネクター２０，３０に触れても、そのときの静電気に起因する電磁ノイズの発生を抑え、この種のノイズに起因する電子機器１１の誤動作などを回避できる。
【００６４】
（３）通信ケーブル４０は、ＵＳＢケーブルを含む。よって、ユーザーがコネクター２０，３０に触れたときの静電気に起因するノイズを防止できるうえ、電子機器１１と他の電子機器１００，２００とを接続するＵＳＢケーブルからの放射ノイズを低減できる。
【００６５】
（４）スイッチ素子５８は、トランジスターである。よって、制御回路５２はスイッチ素子５８に制御信号SIGを出力することで、シグナルグランド７１とフレームグランド７２との電気的な接続と非接続とを簡単に切り換えることができる。
【００６６】
（５）グランド制御回路６０を電子機器１１に設けたので、電子機器１１はグランド制御回路６０の作用効果を同様に得ることができる。
（６）シールドタイプの通信ケーブル４０がコネクター２０，３０に接続されていないことを検知している場合、基板５１のシグナルグランド７１とフレームグランド７２とを電気的に切り離した状態にする切離しステップ（Ｓ１３，Ｓ１４）を備える。さらに通信ケーブル４０がコネクター２０又は３０に接続されていることを検知している場合、シグナルグランド７１とフレームグランド７２とを電気的に接続した状態に維持する接続ステップ（Ｓ１１，Ｓ１２）を備える。ユーザーがコネクター２０又は３０に触れても、シグナルグランド７１とフレームグランド７２間を静電気に起因する電流が流れないので、制御回路５２の誤動作などを低減できる。また、通信ケーブル４０がコネクター２０又は３０に接続されているときに、シグナルグランド７１とフレームグランド７２とが電気的に接続された状態に維持されるので、通信ケーブル４０からの放射ノイズを低減できる。
【００６７】
（第２実施形態）
次に、第２実施形態における電子機器のグランド制御回路について図面を参照して説明する。この第２実施形態では、グランド制御回路の構成が、第１実施形態と異なる。なお、電子機器において第１実施形態と同様の構成は説明を省略し、特にグランド制御回路の構成を詳細に説明する。
【００６８】
図１０に示すグランド制御回路１２０でも、第１実施形態における図４と同様に、スイッチ素子５８は、シグナルグランド７１とフレームグランド７２との間に介在している。図１０に示すスイッチ素子５８は、第１実施形態と同様に、例えばトランジスターからなる。図１０の例では、トランジスターは、バイポーラートランジスターである。スイッチ素子５８がオンしているときは、シグナルグランド線ＳＧとフレームグランド線ＦＧとが電気的に接続された状態にある。一方、スイッチ素子５８がオフしているときは、シグナルグランド線ＳＧとフレームグランド線ＦＧとが電気的に非接続状態（切離し状態）にある。
【００６９】
図１０に示すように、シグナルグランド線ＳＧとフレームグランド線ＦＧとの間には、保護回路８８が、スイッチ素子５８と並列に設けられている。保護回路８８は、抵抗Ｒ１とコンデンサーＣ１とが直列に接続されて構成されている。なお、保護回路８８は、スイッチ素子５８を過電圧（過電流）から保護する機能を有する限りにおいて、公知の他の回路構成に置き替えることができる。
【００７０】
制御回路５２は、制御信号線５２Ａを介してスイッチ素子５８の制御端子（例えばベース端子）に接続されている。制御回路５２は、信号線Ｄ＋，Ｄ−の各信号の差動値に基づき、電子機器１１のコネクター２０又は３０に接続された通信ケーブル４０を介した他の電子機器１００又は２００との接続を検知すると、スイッチ素子５８の制御端子にオンの旨の制御信号SIGを出力する。その結果、スイッチ素子５８はオンし、シグナルグランド７１とフレームグランド７２（図４参照）とが電気的に接続される。その後、制御回路５２は他の電子機器１００，２００の制御回路（図示せず）と通信ケーブル４０を介して通信の接続を確立する。このとき、通信ケーブル４０を介してデータの送受信が行われるが、シグナルグランド７１とフレームグランド７２とが電気的に接続された状態にあるので、通信ケーブル４０からの放射ノイズは低減される。
【００７１】
一方、制御回路５２は、信号線Ｄ＋，Ｄ−の各信号の差動値に基づき、電子機器１１のコネクター２０（３０）から通信ケーブル４０のコネクター４１（４２）が抜かれる（非接続とされる）などして他の電子機器１００，２００との非接続を検知すると、スイッチ素子５８の制御端子にオフの旨の制御信号SIGを出力する。その結果、スイッチ素子５８はオフし、シグナルグランド７１とフレームグランド７２（図４参照）とが電気的に切り離される。このため、ユーザーの手がコネクター２０，３０に触れても、静電気に起因する電磁ノイズは発生しないので、この種のノイズに起因する制御回路５２の誤動作などが回避される。
【００７２】
以上詳述した第２実施形態によれば、第１実施形態で述べた前記（１）〜（６）と同種の効果が得られる。その他に、以下に示す効果を得ることができる。
（７）シグナルグランド線ＳＧ（シグナルグランド７１）とフレームグランド線ＦＧ（フレームグランド７２）との間に、スイッチ素子５８と並列に抵抗Ｒ１とコンデンサーＣ１とからなる保護回路８８を設けている。そのため、静電気に起因する過度な電圧が制御基板５０に印加されても、保護回路８８によりスイッチ素子５８を保護できる。
【００７３】
（第３実施形態）
次に、第３実施形態における電子機器のグランド制御回路について図面を参照して説明する。この第３実施形態では、グランド制御回路の構成が第１実施形態と異なる。なお、第３実施形態において第１実施形態と同様の構成は説明を省略し、特にグランド制御回路の構成を詳細に説明する。
【００７４】
図１１に示すグランド制御回路１３０でも、第１実施形態における図４と同様に、スイッチ素子５８は、シグナルグランド７１とフレームグランド７２との間に介在している図１１に示すスイッチ素子５８は、第１実施形態と同様にトランジスターからなる。図１１の例では、トランジスターは、例えば電界効果型トランジスターからなる。スイッチ素子５８がオンしているときは、シグナルグランド線ＳＧとフレームグランド線ＦＧとが電気的に接続された状態にある。一方、スイッチ素子５８がオフしているときは、シグナルグランド線ＳＧとフレームグランド線ＦＧとが電気的に非接続状態（切離し状態）にある。
【００７５】
図１１に示すように、シグナルグランド線ＳＧとフレームグランド線ＦＧとの間には、第２実施形態と同様の保護回路８８がスイッチ素子５８と並列に設けられている。保護回路８８は、抵抗Ｒ１とコンデンサーＣ１とが直列に接続されて構成されている。なお、保護回路は、スイッチ素子を過電圧（過電流）から保護する機能を有する限りにおいて、公知の他の回路構成に置き替えることができる。
【００７６】
制御回路５２は、制御信号線５２Ａを介してスイッチ素子５８の制御端子（例えばゲート端子）に接続されている。制御回路５２は、信号線Ｄ＋，Ｄ−の各信号の差動値に基づき、電子機器１１のコネクター２０又は３０に接続された通信ケーブル４０を介した他の電子機器１００又は２００との接続を検知すると、スイッチ素子５８の制御端子にオンの旨の制御信号SIGを出力する。その結果、スイッチ素子５８はオンし、シグナルグランド７１とフレームグランド７２（図４参照）とが電気的に接続される。その後、制御回路５２は他の電子機器１００，２００の制御回路（図示せず）と通信ケーブル４０を介して通信の接続を確立する。このとき、通信ケーブル４０を介してデータの送受信が行われるが、シグナルグランド７１とフレームグランド７２とが電気的に接続された状態にあるので、通信ケーブル４０からの放射ノイズは低減される。
【００７７】
一方、制御回路５２は、信号線Ｄ＋，Ｄ−の各信号の差動値に基づき、電子機器１１のコネクター２０（３０）から通信ケーブル４０のコネクター４１（４２）が抜かれる（非接続とされる）などして他の電子機器１００，２００との非接続を検知すると、スイッチ素子５８の制御端子にオフの旨の制御信号SIGを出力する。その結果、スイッチ素子５８はオフし、シグナルグランド７１とフレームグランド７２（図４参照）とが電気的に切り離される。このため、ユーザーの手がコネクター２０，３０に触れても、静電気に起因する電磁ノイズが発生しないので、この種のノイズに起因する制御回路５２の誤動作などが回避される。
【００７８】
以上詳述した第３実施形態によれば、第１実施形態で述べた前記（１）〜（６）及び第２実施形態で述べた前記（７）と同種の効果が得られる。その他に、以下に示す効果を得ることができる。
【００７９】
（８）スイッチ素子５８としてトランジスターの１種である電界効果型トランジスターを用いているので、バイポーラートランジスターに比べ、スイッチ素子５８がオンした際の抵抗成分が少なく済む。また、電界効果型トランジスターは、電流が流れなければ、端子間は同電位になる特性がある。フレームグランド線ＦＧ（シールド線）がＧＮＤ電位であれば、信号線の信号によりシールド線に誘起するノイズが消滅しやすい。一方、バイポーラートランジスターでは、オン時にコレクター−エミッター間飽和電圧Ｖｃsatが発生するため、シグナルグランドとフレームグランドとが同電位とはならず、電位差が発生する。そのため、放射ノイズの低減効果が幾分低下する。これに対して、スイッチ素子５８として電界効果型トランジスターを用いたので、放射ノイズをより効果的に低減できる。
【００８０】
なお、上記各実施形態は以下のような形態に変更することもできる。
・第３実施形態（図１１）において、保護回路８８を無くしてもよい。この構成によっても、スイッチ素子５８として電界効果型トランジスターを用いることで、バイポーラートランジスターに比べ、通信ケーブル４０からの放射ノイズをより効果的に低減できる。
【００８１】
・スイッチ素子５８はトランジスターに限らず、サイリスター又はリレーでもよい。
・シグナルグランド７１とフレームグランド７２は分離されていれば、例えば異なる基板に形成されていてもよい。この場合、シグナルグランド７１とフレームグランド７２は一方の基板に設けられたスイッチ素子５８を介して電気的に接続されていれば足りる。
【００８２】
・シグナルグランド７１とフレームグランド７２とのうち一方又は両方が、基板５１に形成された配線であってもよい。
・電子機器１１が複数のコネクター２０，３０を有する場合、コネクターごとに個別のスイッチ素子５８を共通の基板５１に設けたが、コネクターごとに個別のスイッチ素子５８を個別の基板５１にそれぞれ設けてもよい。
【００８３】
・電子機器のコネクターは、デバイス用のコネクター２０とホスト用のコネクター３０とのうち一方のみでもよい。この場合、電子機器１１にはその一方のコネクター２０又は３０が複数設けられていてもよい。
【００８４】
・シールドタイプの通信ケーブルであれば、ＵＳＢケーブルに限定されない。例えばＨＤＭＩ（登録商標）(High-Definition Multimedia Interface)ケーブルでもよい。すなわち、グランド制御回路は、ＨＤＭＩケーブルを接続可能なコネクターを有する電子機器に用いてもよい。
【００８５】
・電子機器は、印刷装置及び画像読取装置に限定されず、シールドタイプの通信ケーブルを接続可能なコネクターを有する電子機器であればよい。電子機器として、例えばプロジェクター、オーディオ装置、デジタルカメラ等でもよい。また、ホスト装置１０１やデバイス装置２０１として使用される電子機器でもよく、例えばスマートフォン、携帯電話及びＰＤＡ等の携帯端末でもよいし、パーソナルコンピューターでもよい。さらに電子機器は携帯型ハードディスク装置等の記憶装置でもよい。
【符号の説明】
【００８６】
１１…電子機器、１２…本体、１３…操作パネル、１４…表示部、１５…操作部、１６…サポート部、２０…コネクター、３０…コネクター、４０…通信ケーブル、４１…第１コネクター、４２…第２コネクター、４３…配線、５０…制御基板、５１…基板、５２…制御回路、５２Ａ…制御信号線、５５…エンジン、５６…配線、５７…電気回路、５８…スイッチ素子、６０…グランド制御回路、６１…制御部、６２…検出部、６３…通信制御部、６４…処理部、６５…ＣＰＵ、６６…ＩＣ、７１…シグナルグランド、７２…フレームグランド、８１…シグナルグランド端子、８２…フレームグランド端子、８３，８４…信号端子、８５…電源端子、８８…保護回路、９１…シグナルグランド端子、９２…フレームグランド端子、９３，９４…信号端子、９５…電源端子、１００…他の電子機器、１０１…ホスト装置、１０５…コネクター、１２０，１３０…グランド制御回路、２００…他の電子機器、２０１…デバイス装置、２０５…コネクター、Ｐ…媒体、ＳＧ…シグナルグランド線、ＦＧ…フレームグランド線、Ｖbus…電源線、Ｄ＋，Ｄ−…信号線、Ｒ１…抵抗、Ｃ１…コンデンサー、ＳＩＧ…制御信号。
【図１】
2017103305.tif 000003
【図２】
2017103305.tif 000004
【図３】
2017103305.tif 000005
【図４】
2017103305.tif 000006
【図５】
2017103305.tif 000007
【図６】
2017103305.tif 000008
【図７】
2017103305.tif 000009
【図８】
2017103305.tif 000010
【図９】
2017103305.tif 000011
【図１０】
2017103305.tif 000012
【図１１】
2017103305.tif 000013